(57)【要約】      （修正有）【課題】複数のスロットのそれぞれにカード部品を容易に着脱可能であるとともに、スロットから誤って抜け落ちたりスロットから抜き取られて盗まれたりすることを防ぐことができ、しかも構成が簡単なカード部品収容装置を提供する。【解決手段】カード部品収容装置が、カード部品が挿入可能な複数のスロット１，２と、各スロット１，２の入口に設けられ、入口を開放した状態と閉鎖した状態とを切り換え可能な複数の蓋３，４と、複数の蓋３，４に設けられているロック部３ｂ，４ｂとロック部３ｂ，４ｂに係合可能な開閉制御円板（係止手段）７とを含むロック機構と、ロック機構を駆動する単一のステッピングモータ（駆動手段）６と、複数の蓋３，４のそれぞれに対応するパスワードを独立して設定可能であり、設定されたパスワードの入力に伴ってステッピングモータ６の動作を制御する制御部５と、を有する。【選択図】図１
2013134585.tif 000002
【特許請求の範囲】
【請求項１】
カード部品がそれぞれ挿入可能な複数のスロットと、
前記各スロットの入口にそれぞれ設けられ、該入口を開放した状態と閉鎖した状態とを切り換え可能な複数の蓋と、
前記複数の蓋にそれぞれ設けられているロック部と、該ロック部に係合可能な係止部材とを含むロック機構と、
前記ロック機構を駆動する単一の駆動手段と、
前記複数の蓋のそれぞれに対応するパスワードを独立して設定可能であり、設定された前記パスワードの入力に伴って前記駆動手段の動作を制御する制御部と、
を有する、カード部品収容装置。
【請求項２】
前記各スロットにそれぞれ設けられている、前記蓋の前記入口を開放した状態と前記入口を閉鎖した状態とを検知するスイッチをさらに有する、請求項１に記載のカード部品収容装置。
【請求項３】
前記係止部材は、前記ロック部に係合する拡張部分と前記ロック部に接触しない小径部分とを有する開閉制御円板であり、
前記駆動手段は、前記開閉制御円板を回転駆動し、前記拡張部分が前記ロック部に係合しているロック状態と前記拡張部分が前記ロック部に係合していないロック解除状態とを切り換えることができるステッピングモータである、請求項１または２に記載のカード部品収容装置。
【請求項４】
前記制御部は、前記複数の蓋に対してそれぞれ異なるパスワードを設定することも、前記複数の蓋に対して同じパスワードを設定することも可能である、請求項１から３のいずれか１項に記載のカード部品収容装置。
【請求項５】
請求項１から４のいずれか１項に記載のカード部品収容装置と、
前記カード部品収容装置に収容されたカード部品に対する情報の書き込みと情報の読み出しのいずれか一方または両方を行う情報処理部と、
を有する携帯型電子機器。
【請求項６】
カード部品が挿入された複数のスロットの入口を蓋によってそれぞれ閉鎖し、前記蓋に設けられているロック部に係止部材を係合させて、前記蓋をロック状態にするステップと、
前記蓋に対応して予め設定されたパスワードの入力を検知するステップと、
前記予め設定されたパスワードの入力が検知されない時に、前記蓋を、前記入口を閉鎖したロック状態に維持するステップと、
前記予め設定されたパスワードの入力を検知した時に、前記係止部材を作動させて前記ロック部との係合を解除させ、前記蓋が前記入口を開放した状態に移動することを可能にするステップと、
を含む、カード部品の着脱制御方法。
【請求項７】
前記係止部材は開閉制御円板であり、
前記蓋をロック状態にするステップでは、前記開閉制御円板の拡張部分を前記ロック部に係合させ、
前記蓋の前記入口を開放した状態への移動を可能にするステップでは、ステッピングモータによって前記開閉制御円板を回転させて、該開閉制御円板の拡張部分を前記ロック部に係合しない位置に移動させる
請求項６に記載のカード部品の着脱制御方法。
【請求項８】
前記各スロットに対応してそれぞれ設けられている複数の前記蓋に対して、互いに異なるパスワードがそれぞれ設定される、請求項６または７に記載のカード部品の着脱制御方法。
【請求項９】
前記各スロットに対応してそれぞれ設けられている複数の前記蓋に対して、同じパスワードが設定される、請求項６または７に記載のカード部品の着脱制御方法。
【発明の詳細な説明】
【技術分野】
【０００１】
本発明は、カード部品収容装置および携帯型電子機器とカード部品の着脱制御方法に関する。
【背景技術】
【０００２】
携帯電話機やタブレット型コンピュータなどの携帯型電子機器には、ＳＩＭ（Subscriber Identity Module）カードやＵＳＩＭ（Universal Subscriber Identity Module）カードを含む通信事業者による識別カードや、例えばMicro SDカードを含むメモリーカードなど、様々な情報が記録された種々のカード部品が装着される。これらのカード部品の中には重要な情報が記録されているものが多く、例えばＳＩＭカードやＵＳＩＭカードなどの識別カードには通信や課金の基礎となる個人情報が記録されており、これらの識別カード無しでは携帯型電子機器による通信ができない。
【０００３】
このような識別カードやメモリーカードは、携帯型電子機器のスロット内に着脱可能に装着されるが、紛失や盗難のおそれがある。例えば、識別カードが携帯型電子機器から誤って抜け落ちて通信不能になってしまうことや、第三者が携帯型電子機器から識別カードを抜き取る盗難事件が起こっている。第三者が識別カードを悪用した場合には、所有者（通信事業者との契約者）に、本人ではなく第三者がその識別カードを別の携帯型電子機器に装着して行った通信の料金が課されてしまうというトラブルが発生する。
【０００４】
そこで、携帯型電子機器からカード部品が抜け落ちることや、所有者に無断でカード部品を抜き取られることを防ぐための構造が提案されている（引用文献１〜４参照）。
【０００５】
特許文献１に記載の情報端末は、鍵およびシリンダ錠部を用いて、ＳＩＭカードの盗難防止のために裏蓋をロックするとともに、電源レバーをロックするものである。鍵を持たない限り、裏蓋を開けてＳＩＭカードを取り出すことや、電源のオンとオフを切り換えることができない。
【０００６】
特許文献２に記載の携帯通信端末は、ＵＳＩＭカード等のＩＣカードの収容位置を覆うカバーをロックするロック機構と、ロック機構のロック動作とアンロック動作を制御する制御部を有している。一例としては、指示操作がなされパスワードが入力されたときに、制御部がロック機構にアンロック動作を行わせる。
【０００７】
特許文献３に記載の情報処理装置は、ＰＣカード等のカード部品の接続および／または引外しを許可する、シャッタやピンなどの規制手段を有している。この規制手段は、ＰＣカードが装着されるコンピュータの操作に従って、ＰＣカードの接続または引外しを可能にする。
【０００８】
特許文献４に記載の携帯端末装置では、ＵＳＩＭカードが挿入されるカードスロットは上部リアカバーで覆われ、メモリーカードが挿入されるカードスロットの挿入口には傾斜面が設けられており、傾斜面が、メモリーカードが誤って抜け落ちることを防いでいる。
【先行技術文献】
【特許文献】
【０００９】
【特許文献１】特開２００２−３５１５７０号公報
【特許文献２】特開２００７−２５１２４４号公報
【特許文献３】特開平８−２１１９７７号公報
【特許文献４】特開２００８−１９７７６０号公報
【発明の概要】
【発明が解決しようとする課題】
【００１０】
特許文献１〜３には、１つのカード部品の収容装置のみについて記載されている。しかし、近年では、複数のカード部品（例えば識別カードとメモリーカード）を電子機器に装着する場合があり、それらのカード部品はいずれも、スロットから誤って抜け落ちたりスロットから抜き取られて盗まれたりしないように保護されることが望まれる。
【００１１】
特許文献１，２，４に記載の発明は、電子機器の筐体の一部をなすカバーを外して識別カードを着脱する構成であり、誤って抜け落ちる可能性はないが、着脱作業は非常に煩雑である。特許文献４では、メモリーカードは筐体の側面から容易に挿入可能であるが、識別カードは筐体の一部をなすカバーを外さないと着脱できない煩雑な構成である。
【００１２】
また、特許文献１に記載の発明では、情報端末とは別に手動で操作する鍵が必要である。情報端末の携帯中に裏蓋の開閉や電源のロック解除を行う可能性がある場合には鍵を携帯しなければならず面倒であるとともに、鍵を紛失しないように注意しなければならない。
【００１３】
そこで本発明の目的は、前記した課題を解決し、複数のスロットのそれぞれにカード部品を容易に着脱可能であるとともに、スロットから誤って抜け落ちたりスロットから抜き取られて盗まれたりすることを防ぐことができ、しかも構成が簡単なカード部品収容装置と、それを有する携帯型電子機器と、カード部品の着脱制御方法を提供することにある。
【課題を解決するための手段】
【００１４】
本発明のカード部品収容装置は、カード部品をそれぞれ挿入可能な複数のスロットと、各スロットの入口にそれぞれ設けられ、入口を開放した状態と閉鎖した状態とを切り換え可能な複数の蓋と、複数の蓋にそれぞれ設けられているロック部とロック部に係合可能な係止部材とを含むロック機構と、ロック機構を駆動する単一の駆動手段と、複数の蓋のそれぞれに対応するパスワードを独立して設定可能であり、設定されたパスワードの入力に伴って駆動手段の動作を制御する制御部と、を有する。
【００１５】
本発明のカード部品の着脱制御方法は、カード部品が挿入された複数のスロットの入口を蓋によってそれぞれ閉鎖し、蓋に設けられているロック部に係止部材を係合させて、蓋をロック状態にするステップと、蓋に対応して予め設定されたパスワードの入力を検知するステップと、予め設定されたパスワードの入力が検知されない時に、蓋を、入口を閉鎖したロック状態に維持するステップと、予め設定されたパスワードの入力を検知した時に、係止部材を作動させてロック部との係合を解除させ、蓋が入口を開放した状態に移動することを可能にするステップと、を含む。
【発明の効果】
【００１６】
本発明によると、複数のカード部品に関してそれぞれパスワードを設定できるので、設定されたパスワードが正しく入力されない限りスロットの入口は開放されることがなく、誤ってカード部品がスロットから抜け落ちることや、第三者が無断でカード部品を抜き取ることが防止できる。
【００１７】
また、複数のスロットの入口の開閉制御を単一の駆動手段によって行うため、構造の簡略化と、小型化および薄型化に寄与する。
【図面の簡単な説明】
【００１８】
【図１】本発明のカード部品収容装置の基本構造を概略的に示す模式図である。
【図２】本発明のカード部品の着脱制御方法を示すフローチャートである。
【図３】図２に示すカード部品の着脱制御方法の一部を詳細に説明するフローチャートである。
【図４】本発明のカード部品収容装置を含む携帯型電子機器の一例である携帯電話機の、スロットの入口を閉鎖した状態を示す斜視図である。
【図５】図４に示す携帯電話機の要部の、スロットの入口を閉鎖した状態を概略的に示す平面断面図である。
【図６】図４に示す携帯電話機の、スロットの入口を開放した状態を示す斜視図である。
【図７】図４に示す携帯電話機の、スロットの入口を開放した状態を示す正面図である。
【図８】図４に示す携帯電話機の、両方のスロットの入口を閉鎖してロックした状態を示す正面断面図である。
【図９】図４に示す携帯電話機の、一方のスロットの入口のみを開放可能にした状態を示す正面断面図である。
【図１０】図４に示す携帯電話機の、他方のスロットの入口のみを開放可能にした状態を示す正面断面図である。
【図１１】図４に示す携帯電話機の、両方のスロットの入口を開放可能にした状態を示す正面断面図である。
【図１２】図４に示す携帯電話機の、両方のスロットの入口を開放した状態を示す正面断面図である。
【発明を実施するための形態】
【００１９】
以下、本発明の実施の形態について図面を参照して説明する。
【００２０】
図１に本発明のカード部品収容装置の基本構造を概略的に示している。このカード部品収容装置は、カード部品が挿入される複数のスロット１，２と、スロット１，２の入口をそれぞれ閉鎖可能な蓋３，４を有している。これらの蓋３，４は、一方の側部に設けられたヒンジ部３ａ，４ａを中心として回転運動することにより、図１に示すスロット１，２の入口を閉鎖した状態と、スロット１，２の入口を開放した状態とをとることができる。蓋３，４の他方の側部には、スロット１，２側に向かって延びる爪が設けられており、爪の先端がロック部３ｂ，４ｂになっている。
【００２１】
このカード部品収容装置には、制御部５によって電気的に制御される駆動手段である単一のステッピングモータ６が設けられている。そしてこのステッピングモータ６の回転軸に、係止部材である開閉制御円板７が連結されている。開閉制御円板７は、図１に示すように蓋３，４のロック部３ｂ，４ｂを係止可能な拡張部分７ａと、ロック部３ｂ，４ｂに接触しない小径部分７ｂを有している。制御部５は、蓋３用のパスワードと、蓋４用のパスワードをそれぞれ独立して設定可能である。これらのパスワードが、本発明において、蓋３，４のヒンジ部３ａ，４ａを中心とした図１の矢印方向への回転運動と、それに伴うスロット１，２の入口の開放とを許容するか否かを決定するキーとなる。なお、パスワードは、１桁または複数桁の数字からなる暗証番号であってもよい。
【００２２】
このカード部品収容装置におけるカード部品の着脱制御方法について、図２に示すフローチャートを参照して説明する。
【００２３】
まず、図１に示すスロット１，２にそれぞれカード部品（例えばＳＩＭカードやMicro SDカード）が挿入され、蓋３，４が閉じられてスロット１，２の入口が閉鎖された状態で、制御部５がステッピングモータ６を適宜に作動させて、開閉制御円板７の拡張部分７ａが蓋３，４のロック部３ｂ，４ｂに係合して蓋３，４を回転運動不能にしたロック状態にする（Ｓ１）。
【００２４】
制御部５は、使用者によるパスワードの入力を検知しないと（Ｓ２）、ステッピングモータ６を作動させず、蓋３，４を、スロット１，２の入口を閉鎖してロックされた状態に維持する（Ｓ３）。予め設定されていたパスワード以外の入力を検知した場合にも、同様にロックされた状態に維持する（Ｓ３）。
【００２５】
制御部５が、予め設定されていたパスワードの入力を検知すると（Ｓ２）、そのパスワードに応じてステッピングモータ６を制御して、開閉制御円板７を適宜に回転させる。その結果、蓋３，４のいずれか一方または両方のロック部が開閉制御円板７の拡張部分７ａとの係合から開放され、小径部分７ｂと非接触で対向する。このようにして、開閉制御円板７の拡張部分７ａとの係合が解除された蓋は、ヒンジ部を中心として図１の矢印方向に回転運動可能、すなわちスロット１，２の入口を開放可能になる（Ｓ４）。
【００２６】
このステップＳ４について具体的に説明すると、図３に示すように、制御部５が、蓋３用に設定されたパスワードの入力を検知すると（Ｓ４ａ）、制御部５に制御されたステッピングモータ６が、蓋３のロック部３ａが開閉制御円板７の拡張部分７ａとの係合から開放されて小径部分７ｂと非接触で対向するように、開閉制御円板７を回転させる。それにより、蓋３はヒンジ部３ａを中心として回転運動可能、すなわちスロット１の入口を開放可能になる（Ｓ４ｂ）。
一方、制御部５が、蓋４用に設定されたパスワードの入力を検知すると（Ｓ４ａ）、制御部５に制御されたステッピングモータ６が、蓋４のロック部４ｂが開閉制御円板７の拡張部分７ａとの係合から開放されて小径部分７ｂと非接触で対向するように、開閉制御円板７を回転させる。それにより、蓋４はヒンジ部４ａを中心として回転運動可能、すなわちスロット２の入口を開放可能になる（Ｓ４ｃ）。
【００２７】
以上説明した本発明のカード部品収容装置を内蔵した携帯型電子機器の一例である携帯電話機８が、図４〜１２に示されている。図４は携帯電話機８のスロット１，２の入口が閉鎖された状態の斜視図、図５はその要部の平面断面図、図６は携帯電話機８のスロット１，２の入口が開放された状態の斜視図、図７はその正面図である。
【００２８】
携帯電話機８は、筐体９の一面に設けられたタッチパネルを兼ねる液晶表示画面１０と、筐体２の内部に配置された電子部品（図示せず）とを有し、電話機およびネットワーク端末として使用されるものである。そして、この携帯電話機８には、一端面からカード部品がそれぞれ挿入される複数のスロット１，２が設けられている。一例としては、スロット１はＳＩＭ（Subscriber Identity Module）カード１１を収容するＳＩＭカードスロットであり、スロット２はMicro SDカード１２を収容するMicro SDカードスロットである。スロット１，２の内部には、カード部品に対する情報の書き込みと読み出しのいずれか一方または両方を行う情報処理部が設けられており、図７にはその情報処理部の端子部分１３が示されている。
【００２９】
各スロット１，２の入口には、ヒンジ部３ａ，４ａを中心として回転運動してスロット１，２の入口を開放および閉鎖可能な蓋３，４が取り付けられている。蓋３，４の、ヒンジ部３ａ，４ａと反対側の端部には爪がそれぞれ形成されており、この爪の先端部がロック部３ｂ，４ｂとして機能する。
【００３０】
スロット１，２の内部には、制御部５に制御される駆動手段である単一のステッピングモータ６と、軸受板１４に支持されてステッピングモータ６のピニオン６ａと噛み合う歯車１５と、歯車１５の回転軸１６に取り付けられて歯車１５と一体に回転する開閉制御円板７とを含んでいる。この開閉制御円板７が蓋３，４の先端のロック部３ｂ，４ｂとともにロック機構を構成している。開閉制御円板７の一部は、スロット１，２に設けられた窓１ａ，２ａ内に露出している。
【００３１】
開閉制御円板７は、蓋３，４がスロット１，２の入口を閉じている状態で、窓１ａ，２ａを介して進入しているロック部３ｂ，４ｂと係合する拡張部分７ａと、ロック部３ｂ，４ｂと接触しない小径部分７ｂとを有している。開閉制御円板７は、その回転角度によって以下の４つの状態をとることができるように、拡張部分７ａと小径部分７ｂとが適宜にレイアウトされている。
【００３２】
第１の状態は、図８に示すように、ロック部３ｂ，４ｂがいずれも拡張部分７ａと係合して、蓋３，４が回転運動不能であり、スロット１，２の入口がいずれも閉鎖されてロックされた状態である。第２の状態は、図９に示すように、ロック部３ｂが小径部分７ｂと非接触で対向し、ロック部４ｂが拡張部分７ａと係合しており、蓋３がヒンジ部３ａを中心として回転運動可能でスロット１の入口を開放および閉鎖可能であり、蓋４が回転運動不能でスロット２の入口が閉鎖されてロックされた状態である。第３の状態は、図１０に示すように、ロック部３ｂが拡張部分７ａと係合し、ロック部４ｂが小径部分７ｂと非接触で対向しており、蓋３が回転運動不能でスロット１の入口が閉鎖されてロックされ、蓋４がヒンジ部４ａを中心として回転運動可能でスロット２の入口を開放および閉鎖可能な状態である。第４の状態は、図１１に示すように、ロック部３ｂ，４ｂがいずれも小径部分７ｂと非接触で対向して、蓋３，４がヒンジ部３ａ，４ａを中心として回転運動可能でスロット１，２の入口を開放および閉鎖可能な状態である。
【００３３】
制御部５は、タッチパネルを兼ねる液晶表示画面１０からの入力によって、複数のパスワードを電子的に設定可能である。このパスワードに基づいて、ステッピングモータ６の回転角度が制御され、蓋３用のパスワードと蓋４用のパスワードを独立して設定可能である。パスワードは、使用者が後で変更することも可能である。
【００３４】
蓋３用に設定されたパスワードが入力されると、制御部５は、前記した第２の状態になる角度に開閉制御円板７を回転させるようにステッピングモータ６を制御する。それによって、蓋３がヒンジ部３ａを中心として回転運動可能でスロット１の入口を開放および閉鎖可能なロック解除状態になる。蓋４用に設定されたパスワードが入力されると、制御部５は、前記した第３の状態になる角度に開閉制御円板７を回転させるようにステッピングモータ６を制御する。それによって、蓋４がヒンジ部４ａを中心として回転運動可能でスロット２の入口を開放および閉鎖可能なロック解除状態になる。これらのいずれとも異なるケース、すなわち、蓋３用のパスワードとも蓋４用のパスワードとも異なるパスワードが入力されるか、または全くパスワードが入力されない場合には、制御部５は、開閉制御円板７が前記した第１の状態になる角度に維持されるようにステッピングモータ６を制御する。それによって、蓋３，４が回転運動不能でスロット１，２がいずれも閉鎖されてロックされた状態になる。なお、パスワードの入力と同時に、開閉指令を入力するようにしてもよい。
【００３５】
このロック機構に近接して、蓋３，４がスロット１，２の入口を開放した状態であるか閉鎖した状態であるかをそれぞれ検知する開閉検出スイッチ１７，１８が設けられている。
【００３６】
次に、この携帯電話機８におけるカード部品の着脱制御方法について説明する。
【００３７】
まず、制御部５に、蓋３用のパスワードと蓋４用のパスワードを設定する。本実施形態では、蓋３用のパスワードと蓋４用のパスワードは互いに異なっている。
【００３８】
初期状態では、図７，１２に示すように、開閉制御円板７は前記した第４の状態にあり、蓋３，４がいずれもヒンジ部３ａ，４ａを中心として回転運動可能でスロット１，２の入口を開放した状態にしておく。そこで、スロット１，２にＳＩＭカード１１とMicro SDカード１２（図５参照）をそれぞれ挿入して情報処理部の端子部分１３に接続させ、手動で蓋３，４をヒンジ部３ａ，４ａを中心として回転運動させてスロット１，２の入口を閉鎖する。開閉検出スイッチ１７，１８がこの閉鎖状態を検知すると、制御部５がステッピングモータ６を制御して、開閉制御円板７を、前記した第１の状態になる回転角度に位置させる。それにより、ロック部３ｂ，４ｂがいずれも拡張部分７ａと係合し、蓋３，４が回転運動不能でスロット１，２の入口が閉鎖されてロックされた状態になる。
【００３９】
この状態で、携帯電話機８は、ＳＩＭカード１１に記録された情報に基づいて通信事業者から通信が許可されるとともに、使用者がタッチパネルを兼ねる液晶表示画面１０を操作することによって、情報処理部が、その端子部分１３に接続されているＳＩＭカード１１およびMicro SDカード１２に情報を書き込んだり読み出したりすることができる。
【００４０】
使用者が液晶表示画面１０からパスワードを入力すると、制御部５がそれを検知する。制御部５は、入力されたパスワードに応じてステッピングモータ６を適宜に制御して、開閉制御円板７を回転させて第１〜３のいずれかの状態にし、蓋３，４のいずれか一方または両方を、ヒンジ部を中心として回転運動可能にする。
【００４１】
具体的には、ＳＩＭカード１１の抜き取りを行いたい場合には、蓋３用のパスワードを入力する。すると、制御部５に制御されたステッピングモータ６が開閉制御円板７を回転させて第２の状態にし、蓋３を、ヒンジ部３ａを中心として回転運動可能にする。同時に、制御部５はＳＩＭカード１１の電源をオフにする。それにより、使用者が手動で蓋３を、ヒンジ部３ａを中心として回転運動させてスロット１の入口を開放し、ＳＩＭカード１１をスロット１から抜き取ることができる。
【００４２】
その後にＳＩＭカード１１をスロット１に再度挿入し、手動で蓋３を、ヒンジ部３ａを中心として回転運動させてスロット１の入口を閉鎖すると、開閉検出スイッチ１７がこの閉鎖状態を検知する。すると、制御部５がステッピングモータ６を制御して、開閉制御円板７を第１の状態にし、再び、蓋３，４が回転運動不能でスロット１，２の入口が閉鎖されてロックされた状態にする。同時に、制御部５がＳＩＭカード１１の電源をオンにする。
【００４３】
Micro SDカード１９の抜き取りを行いたい場合には、蓋４用のパスワードを入力する。すると、制御部５に制御されたステッピングモータ６が開閉制御円板７を回転させて第２の状態にし、蓋４を、ヒンジ部４ａを中心として回転運動可能にする。同時に、制御部５はMicro SDカード１２をアンマウント状態にする。それにより、使用者が手動で蓋４を、ヒンジ部４ａを中心として回転運動させてスロット２の入口を開放し、Micro SDカード１２をスロット２から抜き取ることができる。
【００４４】
その後にMicro SDカード１２をスロット２に再度挿入し、手動で蓋４を、ヒンジ部４ａを中心として回転運動させてスロット２の入口を閉鎖すると、開閉検出スイッチ１８がこの閉鎖状態を検知する。すると、制御部５がステッピングモータ６を制御して、開閉制御円板７を第１の状態にし、再び、蓋３，４が回転運動不能でスロット１，２の入口が閉鎖されてロックされた状態になる。同時に、制御部５がMicro SDカード１２をマウント状態にする。
【００４５】
仮に、入力されたパスワードが蓋３用のパスワードとも蓋４用のパスワードとも異なっている場合には、開閉制御円板７は第１の状態のままで、蓋３，４が回転運動不能でスロット１，２の入口が閉鎖されてロックされた状態が維持される。
【００４６】
本実施形態によると、複数のカード部品（例えばＳＩＭカード１１とMicro SDカード１２）を、筐体９の一部を取り外したりすることなく、筐体９の一端面から容易に着脱できる。しかも、カード部品が挿入される各スロット１，２にそれぞれ対応するパスワードを設定して、パスワードが入力されない限りスロット１，２の入口を蓋３，４で塞いでカード部品１１，１２がスロット３，４から抜き取れないようにしている。これによると、誤ってカード部品１１，１２がスロット１，２から抜け落ちることがなく、また、パスワードはその携帯型電子機器の所有者以外には知られないので、第三者が無断でカード部品を抜き取ることができず、盗難が防止できる。
【００４７】
特に、スロット１，２ごとに独立してパスワードが設定できるので、抜き出すべきカード部品のみを的確に抜き取ることができ、それ以外のカード部品が誤って抜け落ちることはない。
【００４８】
また、開閉制御円板７を用いることによって、１つのステッピングモータ６で複数のスロット１，２のロック機構の駆動を行うことができ、構造が簡単で、小型化および薄型化が望まれる携帯型電子機器に適している。また、ステッピングモータ６を用いることにより、開閉制御円板７を適切な回転角度に比較的正確に停止させることができる。さらに、開閉制御円板７とロック部３ｂ，４ｂとの係合および非係合（非接触）を利用してロック機構の駆動を行っているため、蓋３，４のヒンジ部３ａ，４ａを中心とした回転運動時などの外力がステッピングモータ６に直接加わらないため、ステッピングモータ６が過大な負荷を受けることはない。
【００４９】
前記した実施形態では、スロット１の蓋３とスロット２の蓋４に関して、互いに異なるパスワードを設定しているが、同一のパスワードを設定することもできる。その場合、前記した第１の状態（ロック部３ｂ，４ｂがいずれも拡張部分７ａと係合し、蓋３，４が回転運動不能で、スロット１，２が閉鎖されてロックされた状態）と、第４の状態（ロック部３ｂ，４ｂがいずれも小径部分７ｂと非接触で対向して、蓋３，４がヒンジ部３ａ，４ａを中心として回転運動可能でスロット１，２の入口を開放可能なロック解除状態）のいずれかを選択的にとることになる。
【００５０】
蓋３用かつ蓋４用に設定されたパスワードが入力されると、制御部５は、第４の状態になる角度に開閉制御円板７を回転させるようにステッピングモータ６を制御する。それによって、蓋３，４がヒンジ部３ａ，４ａを中心として回転運動可能でスロット１，２の入口をそれぞれ開放および閉鎖可能なロック解除状態になる。同時に、制御部５は、ＳＩＭカード１１の電源をオフにするとともに、Micro SDカード１２をアンマウント状態にする。そして、使用者が手動で蓋３，４を、ヒンジ部３ａ，４ａを中心として回転運動させてスロット１，２の入口を開放し、ＳＩＭカード１１をスロット１から、Micro SDカード１２をスロット２からそれぞれ抜き取ることができる。
【００５１】
その後にＳＩＭカード１１およびMicro SDカード１２をスロット１，２に再度挿入し、手動で蓋３，４を、ヒンジ部３ａ，４ａを中心として回転運動させてスロット１，２の入口を閉鎖すると、開閉検出スイッチ１７，１８が閉鎖状態を検知して、制御部５およびステッピングモータ６が開閉制御円板７を第１の状態にしてスロット１，２の入口が閉鎖されてロックされる。同時に、制御部５がＳＩＭカード１１の電源をオンにしMicro SDカード１２をマウント状態にする。
【００５２】
このように、スロット１の蓋３とスロット２の蓋４に関して同一のパスワードを設定する場合には、開閉制御円板７は、第２の状態および第３の状態を取り得ない、より単純な形状であってもよい。
【００５３】
なお、パスワードの入力時に、開閉指令を入力するようにしてもよい。
【００５４】
本発明は、ＳＩＭカード１１やMicro SDカード１２に限られずあらゆる種類のカード部品の収容装置および着脱制御方法に適用することができ、また、携帯電話機８に限られず、ＰＨＳ（Personal Handy-phone System）、ＰＤＡ（Personal Digital Assistant）、タブレット型コンピュータ、ノート型コンピュータ等の携帯型電子機器に広く適用可能である。
【符号の説明】
【００５５】
１，２      スロット
３，４      蓋
３ｂ，４ｂ      ロック部
５      制御部
６      ステッピングモータ（単一の駆動手段）
７      開閉制御円板（係止部材）
７ａ    拡張部分
７ｂ    小径部分
８      携帯電話機（携帯型電子機器）
１１    ＳＩＭカード（カード部品）
１２    Micro SDカード（カード部品）
１３    端子部分（情報処理部）
【図１】
2013134585.tif 000003
【図２】
2013134585.tif 000004
【図３】
2013134585.tif 000005
【図４】
2013134585.tif 000006
【図５】
2013134585.tif 000007
【図６】
2013134585.tif 000008
【図７】
2013134585.tif 000009
【図８】
2013134585.tif 000010
【図９】
2013134585.tif 000011
【図１０】
2013134585.tif 000012
【図１１】
2013134585.tif 000013
【図１２】
2013134585.tif 000014